(57)【要約】【課題】分電盤内に設置することができるようにコンパクトに構成した分電盤実装用光コンセントを提供すること。【解決手段】分電盤実装用光コンセントをボックス本体１と、該ボックス本体１に収納される光ファイバトレイ２と、上記ファイバトレイ２を覆う内カバー３と、該内カバー３に係合しボックス本体１の前面を覆う化粧カバー４とで構成し、上記ボックス本体を第１のボックス本体１ａと、第２のボックス本体１ｂとを重ね合わせて構成し、各ボックス本体１ａ、１ｂには夫々上記光ファイバトレイ２を配置し、上記第２のボックス本体１ｂの背面には上記第１のボックス本体１ａと連通する開口部４７を設けた。【選択図】図２
2006220978.tif 000002
【特許請求の範囲】
【請求項１】
分電盤に実装される光コンセントであって、以下の要件を備えることを特徴とする分電盤実装用光コンセント。
（イ）上記分電盤実装用光コンセントは前面が開口したボックス本体と、該ボックス本体に収納される光ファイバトレイと、上記ファイバトレイを覆う内カバーと、該内カバーに係合しボックス本体の前面を覆う化粧カバーとを備えたこと
（ロ）上記ボックス本体は第１のボックス本体と、第２のボックス本体とを重ね合わせて構成され、各ボックス本体には夫々上記光ファイバトレイを配置したこと
（ハ）上記第１のボックス本体の底面中央には光ファイバのインドアケーブルを把持する把持部材を収容する収容部を設け、該収容部の両側には光ファイバプラグの挿入される開口部を形成し、上記第２のボックス本体の底面には光ファイバプラグの挿入される開口部を所定間隔をおいて２つ形成するとともに背面には上記第１のボックス本体と連通する開口部を設けたこと
（ニ）上記光ファイバトレイの下端両側には光ファイバジャックを固定する固定部を設けたこと
【請求項２】
前記光ファイバトレイにはファイバ心線の余長を巻き回す巻回部を設け、該巻回部を所定間隔をおいて上下方向に複数並接した、請求項１記載の分電盤実装用光コンセント。
【請求項３】
前記巻回部は略円形状の内壁と、該内壁の外側に所定間隔をおいて配置された外壁とで構成され、該外壁には光ファイバ心線の飛び出しを防止する張出片を内壁に向かって突出形成するとともに、該張出片の長さを少なくとも上記内壁と外壁との間隔を略等しく形成し、上記内壁の上記張出片の先端に対応する部分には凹部を設けて張出片の先端と内壁との間には空隙を設けた、請求項２記載の分電盤実装用光コンセント。
【請求項４】
前記光ファイバトレイには外部から前記ボックス本体内部に引き込んだインドアケーブルの光ファイバ心線と、ボックス本体内部に配置された光ファイバジャックに接続された光ファイバ心線とを融着接続するとともに、融着部を保護する補強スリーブを保持する保持部を設けた、請求項１乃至３記載の分電盤実装用光コンセント。
【請求項５】
前記補強スリーブの保持部は補強スリーブの太さに対応して保持幅を変更可能な２段の異なる撓み構造を備えた、請求項４記載の分電盤実装用光コンセント。
【請求項６】
前記ボックス本体は規格化された配線器具用プレートと略同じ大きさである、請求項１記載の分電盤実装用光コンセント。
【発明の詳細な説明】
【技術分野】
【０００１】
本発明は、分電盤実装用光コンセント、詳しくは分電盤内に実装するために省スペースを図った分電盤実装用光コンセントに関するものである。
【背景技術】
【０００２】
従来、４心のテープ心線からなる光ファイバを４つの光ファイバジャックに分岐し、しかも入力側と出力側とが光コンセントのひとつの面に配置するものが提案されている。
【０００３】
この光コンセントは、４心のテープ心線を１心ずつのファイバ心線に分割し、ファイバ心線と光ファイバジャックのファイバ心線とを接続し、４つの光ファイバジャックを並接したものである（例えば、特許文献１）。
【特許文献１】特開２００４−３５４８２１号公報
【発明の開示】
【発明が解決しようとする課題】
【０００４】
本発明が解決しようとする問題点は、上述の光コンセントの場合、入力側と出力側とをコンセントの１つの面に配置すると、光ファイバと４つの光ファイバジャックとを並設することになり、コンセント自体の幅が広くなるため分電盤内などの限られたスペース内に配置することができない点であった。
【０００５】
本発明は、上記問題点を解決し、入力側と出力側とが同一の面に配置されていても、光コンセント自体の横幅を狭くし、分電盤内に設置することができるようにコンパクトに構成した分電盤実装用光コンセントを提供することを課題とする。
【課題を解決するための手段】
【０００６】
前記課題を解決するために本発明に係る分電盤実装用光コンセントは、分電盤に実装される光コンセントであって、以下の要件を備えることを特徴とする。
（イ）上記分電盤実装用光コンセントは前面が開口したボックス本体と、該ボックス本体に収納される光ファイバトレイと、上記ファイバトレイを覆う内カバーと、該内カバーに係合しボックス本体の前面を覆う化粧カバーとを備えたこと
（ロ）上記ボックス本体は第１のボックス本体と、第２のボックス本体とを重ね合わせて構成され、各ボックス本体には夫々上記光ファイバトレイを配置したこと
（ハ）上記第１のボックス本体の底面中央には光ファイバのインドアケーブルを把持する把持部材を収容する収容部を設け、該収容部の両側には光ファイバプラグの挿入される開口部を形成し、上記第２のボックス本体の底面には光ファイバプラグの挿入される開口部を所定間隔をおいて２つ形成するとともに背面には上記第１のボックス本体と連通する開口部を設けたこと
【０００７】
なお、前記光ファイバトレイにはファイバ心線の余長を巻き回す巻回部を設け、該巻回部を所定間隔をおいて上下方向に複数並接することが好ましい。
【０００８】
また、前記巻回部は略円形状の内壁と、該内壁の外側に所定間隔をおいて配置された外壁とで構成され、該外壁には光ファイバ心線の飛び出しを防止する張出片を内壁に向かって突出形成するとともに、該張出片の長さを少なくとも上記内壁と外壁との間隔を略等しく形成し、上記内壁の上記張出片の先端に対応する部分には凹部を設けて張出片の先端と内壁との間には空隙を設け、光ファイバ心線を巻回部に容易に巻き回すことができるとともに巻き回した光ファイバ心線が巻回部から飛び出さないようにすればよい。
【０００９】
そして、前記光ファイバトレイには外部から前記ボックス本体内部に引き込んだインドアケーブルの光ファイバ心線と、ボックス本体内部に配置された光ファイバジャックに接続された光ファイバ心線とを融着接続するとともに、融着部を保護する補強スリーブを保持する保持部を設け、収容した光ファイバ心線と補強スリーブとが安定した状態で保持させることが好ましい。
【００１０】
なお、前記補強スリーブの保持部は補強スリーブの太さに対応して保持幅を変更可能な２段の異なる撓み構造を備え、太さの異なる補強スリーブに柔軟に対応できるようにしてもよい。
【００１１】
さらに、前記ボックス本体は規格化された配線器具用プレートと略同じ大きさで、設置時のスペースを従来の配線器具用プレートと同様であることが好ましい。
【発明の効果】
【００１２】
請求項１の発明によれば、光ファイバトレイを２段に重ね、下段の光ファイバトレイと上段の光ファイバトレイとに夫々光ファイバジャックを配置することにより、光コンセントの横幅を広げることなく４心のファイバ心線から４つの光ファイバジャックに分岐することができるので、分電盤の内部などのスペースが限られた場所に容易に設置することができる。
【００１３】
請求項２の発明によれば、ファイバ心線を引き回す巻回部を光コンセント内に２箇所並接したので、ファイバ心線の巻きまわしの自由度が高くなるとともに、余長の調整がし易くなり設置時の作業の効率化を図ることができる。
【００１４】
請求項３の発明によれば、外壁に形成された張出片が巻回部に巻きまわしたファイバ心線の浮き上がりを抑え、ファイバ心線が巻回部から外れることがなくなり確実に光コンセント内に光ケーブルを収納することができる。
【００１５】
請求項４の発明によれば、ファイバ心線の接続部を保護する補強スリーブの保持部を設けたので融着部に負荷がかかることがなくトラブルの発生を防止できる。
【００１６】
請求項５の発明によれば、ファイバ心線の本数によって補強スリーブの太さが変わっても容易に対応することができる光コンセントを提供することができる。
【００１７】
請求項６の発明によれば、ボックス本体を規格化された配線器具用プレートと略同じ大きさに設定したので、分電盤内にも容易に設置することができる。
【発明を実施するための最良の形態】
【００１８】
分電盤に実装される光コンセントであって、この分電盤実装用光コンセントを前面が開口したボックス本体と、該ボックス本体に収納される光ファイバトレイと、上記ファイバトレイを覆う内カバーと、該内カバーに係合しボックス本体の前面を覆う化粧カバーとで構成し、上記ボックス本体は第１のボックス本体と、第２のボックス本体とを重ね合わせて構成され、各ボックス本体には夫々上記光ファイバトレイを配置するようにし、上記第１のボックス本体の底面中央には光ファイバのインドアケーブルを把持する把持部材を収容する収容部を設け、該収容部の両側には光ファイバプラグの挿入される開口部を形成し、上記第２のボックス本体の底面には光ファイバプラグの挿入される開口部を所定間隔をおいて２つ形成するとともに背面には上記第１のボックス本体と連通する開口部を設け、上記光ファイバトレイの下端両側には光ファイバジャックを固定する固定部を設けた。
【実施例１】
【００１９】
図１は、本発明に係る分電盤実装用光コンセントＡの底面側斜視図を示し、図２は分電盤実装用光コンセントＡの分解斜視図を示す。この分電盤実装用光コンセント（以下、光コンセントという）Ａは縦と横とのサイズが規格化された配線器具用プレートと略同じ大きさに形成され、分電盤内に設置することができるようにコンパクトに構成されているものである。
【００２０】
この光コンセントＡは入力側のインドアケーブルを４つのファイバジャックに分岐接続するとともに、インドアケーブルとファイバジャックを接続するために必要なファイバ心線の余長を収容することができるようにしたものであり、入力側のインドアケーブルと、出力側の全ての光ファイバジャックが光コンセントＡの１つの周面（底面）に配置できるようにしたものである。
【００２１】
光コンセントＡは、第１のボックス本体１ａと第２のボックス本体１ｂと前後に重ね合わせたボックス本体１の内部に２つのファイバトレイ２をそれぞれ配置したもので、第１のボックス本体１ａに光ファイバトレイ２（以下、この光ファイバトレイを第１の光ファイバトレイ２ａとする）を配置し、その上から第１の内カバー３ａを被せ、その上から第２のボックス本体１ｂを第１の内カバー３ａに固定し、第２のボックス本体１ｂにファイバトレイ２（以下、この光ファイバトレイを第２の光ファイバトレイ２ｂとする）を配置し、その上から第２の内カバー３ｂを被せ、内部に塵埃などが入り込まないように化粧カバー４を取り付けたものである。
【００２２】
第１のボックス本体１ａは分電盤や壁面にネジで固定することができるようにネジ穴５が形成され、中央には光ファイバトレイ２を固定する係合凸部６が、下部には後述するインドアケーブルを把持する把持部材１０及びパッキン１１を収容する収容部７と収容部７の両側にファイバプラグを差し込む差し込み孔８が形成されている（図３参照）。収容部７は箱状に形成され、前面の切欠き部７ａと後面の壁７ｂにはそれぞれインドアケーブルを通す貫通孔９、９が形成されている。
【００２３】
把持部材１０は側面視コ字状に折り曲げ形成された金属で前後にはＵ字状の切込み１２が形成され、インドアケーブルの被覆部分に噛み込んでインドアケーブルがずれないように把持するもので、パッキン１１はゴムなどの弾性部材で前後方向にインドアケーブルを挿通させる挿通孔１３が形成され、把持部材１０の外側に配置することによりボックス本体１内部に塵埃などを侵入させないようにしている（図２参照）。
【００２４】
光ファイバトレイ２（２ａ、２ｂ）は、図４に示すように、底面に形成された係合孔１５をボックス本体１ａ、１ｂに突出形成された係合凸部６、４４にそれぞれ係合させることによりボックス本体１に取り付けることができるようになっている。
【００２５】
この光ファイバトレイ２は、光ファイバジャック１６を固定する固定部１７と、ファイバ心線１８を巻き回す巻回部２０と、ファイバ心線１８同士を融着接続するとともに融着部を保護する補強スリーブ２１を保持する保持部２２とが設けられている。
【００２６】
上記巻回部２０は所定間隔をおいて並設した内壁２５と外壁２６とで構成し、外壁２６の上端面には内壁２５に向かって張出片２７を突出形成するとともに、この張出片２７の長さを少なくとも上記内壁２５と外壁２６とで形成された通路３０の幅（間隔）Ｌと略等しく形成するとともに前部上面には先端に向かって下方に傾斜するガイド突部２７ａを形成し、上記内壁２５の上記張出片２７の先端に対応する部分は内方に曲折させて凹部２８を形成して張出片２７の先端と内壁２５との間には空隙を設けたので（図５（ａ）参照）、ファイバ心線１８をガイド突部２７ａに沿って空隙から通路３０内に容易に収容できるようにするとともに、一旦収容したファイバ心線１８は張出片２７に遮られて意図的に外さない限り通路３０から飛び出さないようになっている。
【００２７】
上記内壁２５は半径が光ファイバ心線１８の許容される最小曲寸法Ｒ１５以上を確保するように略円形状に形成され、図４上で、上下方向に所定間隔を置いて配置された第１の内壁２５ａと第２の内壁部２５ｂとで構成されている。
【００２８】
そして、外壁２６は第１の内壁２５ａの下方に円弧状に形成された第１の外壁部２６ａ、第２の内壁部２５ｂの上方に円弧状に形成された第２の外壁部２６ｂ及び、第１の内壁２５ａと第２の内壁部２５ｂとの間に形成された２つの略三角形状の第３の外壁２６ｃで構成されている。
【００２９】
そして、各外壁部の上端面には内壁２５に向かって張出片２７が突出形成されている。この張出片２７は上述したように、内壁２５の外周面に略到達するように形成され、この張出片２７に対応する内壁２５は内方に曲折して凹部２８が形成され、内壁２５の凹部２８と張出片２７の先端との間隔がファイバ心線１８の太さよりもやや広くなるように設定されている。
【００３０】
第１の内壁２５ａの中央は上下方向にインドアケーブルのファイバ心線１８を通す通路２９が形成され、この通路２９の両端開口部は、通路２９への出入り時にファイバ心線１８が急激に折れ曲がらないよう外広がりに湾曲して形成されている。
【００３１】
さらに、第１の内壁２５ａの下方には、光ファイバジャック１６を固定する固定部１７が設けられ、第３の外壁２６ｃの外側にはファイバ心線１８同士を融着接続するとともに融着部を保護する補強スリーブ２１を保持する保持部２２とが設けられている。
【００３２】
固定部１７には先端にフックが形成された係止片３１、３２が立設され、光ファイバジャック１６を両側から係止してファイバトレイ２上に固定することができるようになっている。又、固定部１７及び内カバーには光ファイバジャック１６の上下面に形成されている凸部３９（図１２参照）に係合する係合溝３８が設けられ光ファイバプラグの着脱時に、光ファイバジャック１６の移動を防止している。
【００３３】
保持部２２は上述した第３の外壁２６ｃの外側壁面３３と保持板３４とで構成され、保持板３４は側面視略Ｌ字状の支持板３５の上部両側に係合片３６、３６が第３の外壁２６ｃの壁面３３に向かって湾曲して形成されるとともに、支持板３５がトレイに形成された開口部３７の中央に突出して形成されたもので、係合片３６の矢印ａ方向の撓みと支持板３５の矢印ｂ方向の撓みとの２つの撓みで太さの異なる補強スリーブ２１に柔軟に対応することができるようになっている（図５（ｂ）参照）。
【００３４】
第１の内カバー３ａは、図６（ａ）に示すように、板状で第１のボックス本体１ａの下側半分を覆うことができるように形成され、後述する第２のボックス本体１ｂの底面に形成された係合凸部４６（図７（ｂ）参照）に係合する係合孔４５が形成され、孔４１を通してネジ５２で第１のボックス本体１ａに固定できるようになっており、固定時には第１のボックス本体１ａの下半分を塞ぐことができるようになっている（図１０（ｄ）参照）。
【００３５】
そして、前端には下方に突出して、ボックス本体１の切欠き部７ａを塞ぐ張出部４２が形成され、この張出部４２にも貫通孔９の一端が形成されている（図６（ｂ）参照）。
【００３６】
第２のボックス本体１ｂは、図７（ｂ）に示すように、上述した第１の内カバー３ａに形成された係合孔４５に係合する係合凸部４６が背面から突出形成され、前面には第１のボックス本体１ａと同様に第２のファイバトレイ２ｂの係合孔１５に係合し、第２のボックス本体１ｂに第２のファイバトレイ２ｂを固定する係合凸部４４が形成されるとともに、方形状の開口部４７が形成され、この開口部４７の一端には下方に向かって長孔状の案内溝４８が連設されている（図７（ａ）参照）。この開口部４７及び案内溝４８は上記第１のファイバトレイ２ａに収容したファイバ心線の内の２本のファイバ心線をファイバジャックとともに、第２のボックス本体１ｂ内に引き出すためのものである。
【００３７】
さらに、上記開口部４７に対応する底面にはファイバプラグを差し込む差し込み孔８が形成されている。
【００３８】
第２の内カバー３ｂは、図８（ａ）（ｂ）に示すように、板状で表面側の周囲には係止部４０が突出して形成され、孔４９を通して長ネジ５３で第１のボックス本体１ａに固定することができるようになっており（図２参照）、固定時には第２のボックス本体１ｂの前面を塞ぐことができるようになっている（図１１（ｃ）参照）。そして、前端には下方に突出して、第２のボックス本体１ｂの切欠き部７ａを塞ぐ張出部４２が形成されている。
【００３９】
化粧カバー４は背面側に第２の内カバー３ｂの係止部４０に係止するフック４３が形成され（図９（ｂ）参照）、第２の内カバー３ｂに重合した状態で上から押し付けることによりフック４３が第２の内カバー３ｂの係止部４０に係止され、第２の内カバー３ｂを介して第２のボックス本体１ｂに固定できるようになっている。
【００４０】
次に、上記構成の光コンセントＡの設置態様を図１０（ａ）〜（ｄ）、図１１（ａ）〜（ｄ）に基づいて４心テープ心線のインドアケーブル５１を４つの光ファイバジャック１６（１６ａ〜１６ｄ）に分岐する場合について説明する。
【００４１】
先ず、第１のボックス本体１ａを配電盤にネジ５０で固定する（図１０（ａ）参照）。
【００４２】
次に、第１のファイバトレイ２ａを第１のボックス本体１ａに固定する（図１０（ｂ）参照）。
【００４３】
続いて、インドアケーブル５１をパッキン１１の挿通穴１３に挿通した後、インドアケーブル５１の被覆を剥いてファイバ心線（４心のテープ心線）１８を出し、４心のテープ心線１８を２心のテープ心線１８ａ、１８ｂに分割し、一方の２心テープ心線１８ａと光ファイバジャック１６ａ、１６ｂから出ているファイバ心線１９ａ、１９ｂとを融着接続し、更に融着部を補強スリーブ２１ａの略中央に配置して補強スリーブ２１ａを熱溶着固定してファイバ同士の接続部を保護する。同様に、他方の２心テープ心線１８ｂと光ファイバジャック１６ｃ、１６ｄから出ているファイバ心線１９ｃ、１９ｄとを融着接続し、更に融着部を補強スリーブ２１ｂの略中央に配置して補強スリーブ２１ｂを熱溶着固定してファイバ同士の接続部を保護する（図１３参照）。各ファイバジャック１６ａ〜１６ｄには夫々ファイバプラグ５５ａ〜５５ｄを接続すればよい。
【００４４】
ファイバテープ心線１８ａ、１８ｂの余長は第１のファイバトレイ２ａの巻回部２０に適宜ルートで巻き回し、補強スリーブ２１ａ、２１ｂを保持部２２に保持させ、光ファイバジャック１６ａ、１６ｂを固定部１７に固定する。（図１０（ｃ）参照）。
【００４５】
その後、第１の内カバー３ａをネジ５２で第１のボックス本体１ａに固定して第１のボックス本体１ａの略下半分を塞ぐ（図１０（ｄ）参照）。このとき、第２の光ファイバトレイ２ｂに取り付ける光ファイバジャック１６ｃ、１６ｄは、第１のボックス本体１ａ内に収容されないように第１の内カバー３ａで塞がれない第１のボックス本体１ａ上方から外に出しておく。
【００４６】
次に、第２のボックス本体１ｂを、第１のボックス本体１ａに取り付ける。これは、第２のボックス本体１ｂの背面に形成された係合凸部４６を第１の内カバー３ａの係合孔４５に係合させ、第２のボックス本体１ｂを第１のボックス本体１ａ（第１の内カバー３ａ）に固定する。その際、光ファイバジャック１６ｃ、１６ｄは、開口部４７を通して外側に出しておく（図１１（ａ）参照）。
【００４７】
第２のボックス本体１ｂを第１のボックス本体１ａ（第１の内カバー３ａ）に固定したら、第２のファイバトレイ２ｂを第２のボックス本体１ｂに固定し、ファイバ心線１９ｃ、１９ｄを、第２のファイバトレイ２ｂに形成された開口部３７に連設した切欠き部３７ａから第２のファイバトレイ２ｂ内に引き込み、光ファイバジャック１６ｃ、１６ｄを固定部１７にする（図１１（ｂ）参照）。
【００４８】
その後、第２の内カバー３ｂを長ネジ５３で第２のボックス本体１ｂと第１の内カバー３ａとを貫通し、第１のボックス本体１ａにネジ止めして固定し、第２のボックス本体１ｂの全面を塞ぎ（図１１（ｃ）参照）、さらに前面から化粧カバー４をあてがい第２の内カバー３ｂに押し付けると、フック４３が第２の内カバー３ｂの係止部４０に係止され、第２の内カバー３ｂを介してボックス本体１に化粧カバー４を固定することができる（図１１（ｄ）参照）。
【００４９】
設置した光コンセントＡは、図１に示すように、下方からファイバプラグ５５を差し込んで使用すればよい。
【００５０】
上述したように、光ファイバトレイを２段に重ね、下段の光ファイバトレイと下段の光ファイバトレイとに夫々光ファイバジャックを配置することにより、光コンセントの横幅を広げることなく４心のファイバ心線から４つの光ファイバジャックに分岐することができるので、スペースが限られた分電盤の内部に容易に設置することができる。
【００５１】
なお、この光コンセントの設置場所は、分電盤内に限定されるものではなく、第１のボックス本体を壁にネジで固定することにより建物の壁面などに設置することができる。
【図面の簡単な説明】
【００５２】
【図１】本発明に係る分電盤実装用光コンセントの底面側斜視図
【図２】上記分電盤実装用光コンセントの構成を説明する分解斜視図
【図３】第１のボックス本体を説明する正面図
【図４】ファイバトレイを説明する正面図
【図５】（ａ）（ｂ）は巻回部の張出片及び補強スリーブを保持する保持部の斜視図
【図６】（ａ）（ｂ）は第１の内カバーの正面図及び底面図
【図７】（ａ）（ｂ）は第２のボックス本体の正面図及びＸ−Ｘ´線における断面図
【図８】（ａ）（ｂ）は第２の内カバーの正面図及びＹ−Ｙ´線における拡大断面図
【図９】（ａ）（ｂ）は化粧カバーの正面図及びＺ−Ｚ´線における拡大断面図
【図１０】（ａ）〜（ｄ）は本発明の光コンセントの設置方法を説明する正面図
【図１１】（ａ）〜（ｄ）は本発明の光コンセントの設置方法を説明する正面図
【図１２】光ファイバジャックの側面図
【図１３】光ファイバと光ファイバジャックとの接続を説明する接続図
【符号の説明】
【００５３】
１    ボックス本体
１ａ    第１のボックス本体
１ｂ    第１のボックス本体
２    光ファイバトレイ
２ａ    第１の光ファイバトレイ
２ｂ    第２の光ファイバトレイ
３    内カバー
３ａ    第１の内カバー
３ｂ    第２の内カバー
４    化粧カバー
７    収容部
８    開口部
１７    固定部
２０    巻回部
２５    内壁
２６    外壁
２７    張出片
２８    凹部
４７    開口部
Ａ    分電盤実装用光コンセント
【図１】
2006220978.tif 000003
【図２】
2006220978.tif 000004
【図３】
2006220978.tif 000005
【図４】
2006220978.tif 000006
【図５】
2006220978.tif 000007
【図６】
2006220978.tif 000008
【図７】
2006220978.tif 000009
【図８】
2006220978.tif 000010
【図９】
2006220978.tif 000011
【図１０】
2006220978.tif 000012
【図１１】
2006220978.tif 000013
【図１２】
2006220978.tif 000014
【図１３】
2006220978.tif 000015